(57)【要約】      （修正有）【課題】メトロノームを安全に保持することが可能であるとともに、美観に優れるメトロノームを提供する。【解決手段】テンポを示すテンポ表示部と、テンポ表示部が設けられるケース２と、ケース２に設けられる持ち手１０と、ケース２に着脱自在に取り付けられる蓋体２０とを備えるメトロノームにおいて、蓋体２０は、ケース２に対して、蓋体２０がテンポ表示部の少なくとも一部を覆う状態と、蓋体２０が前記持ち手の少なくとも一部を覆う状態と、のいずれの状態にも取り付けられる。【選択図】図７
2018066575.tif 000002
【特許請求の範囲】
【請求項１】
テンポを示すテンポ表示部と、前記テンポ表示部が設けられるケースと、前記ケースに設けられる持ち手と、前記ケースに着脱自在に取り付けられる蓋体とを備えるメトロノームにおいて、
前記蓋体は、前記ケースに対して、前記蓋体が前記テンポ表示部の少なくとも一部を覆う状態と、前記蓋体が前記持ち手の少なくとも一部を覆う状態と、のいずれの状態にも取り付けられることが可能である、
ことを特徴とするメトロノーム。
【請求項２】
前記ケースにおいて、前記持ち手は、前記テンポ表示部が配置される面とは異なる面に設けられている、
ことを特徴とする請求項１に記載のメトロノーム。
【請求項３】
前記ケースにおいて前記テンポ表示部が配置される面を正面とした場合に、前記ケースの背面側の面に前記持ち手が設けられている、
ことを特徴とする請求項１に記載のメトロノーム。
【請求項４】
前記持ち手はベルトである、
ことを特徴とする、請求項１乃至請求項３に記載のメトロノーム。
【請求項５】
前記持ち手は、凹部として形成されている、
ことを特徴とする、請求項１乃至請求項３に記載のメトロノーム。
【請求項６】
前記持ち手は、凸部として形成されている、
ことを特徴とする、請求項１乃至請求項３に記載のメトロノーム。
【請求項７】
前記持ち手は、貫通穴として形成されている、
ことを特徴とする、請求項１乃至請求項３に記載のメトロノーム。
【請求項８】
前記蓋体は、前記テンポ表示部又は前記持ち手のどちらも覆わない状態で前記ケースに取り付けることができる、
ことを特徴とする、請求項１乃至請求項７に記載のメトロノーム。
【請求項９】
前記ケースにおける前記テンポ表示部が配置される面を正面とし、前記ケースを側面から見た場合に、前記ケースの側面の縁部が前記ケースの上面から底面を通る線対称となるように構成されている、
ことを特徴とする請求項１乃至請求項８に記載のメトロノーム。
【発明の詳細な説明】
【技術分野】
【０００１】
本発明は、メトロノームに関するものである。
【背景技術】
【０００２】
特許文献１には、振り子の揺動によりテンポを視覚的に報知するタイプのメトロノームが開示されている。このようなメトロノームは一般的に持ち運ぶ際の持ち手や手がかりを備えていない。また、正面の振り子を保護するための蓋を備えている。
【先行技術文献】
【特許文献】
【０００３】
【特許文献１】特許第４７９３９２２号公報
【発明の概要】
【発明が解決しようとする課題】
【０００４】
このようなメトロノームを運搬しようとすると、上述のごとく持ち手や手がかりが備わっていないため、落下による破損の恐れがあった。また、安全な運搬のためにストラップなどの持ち手を取り付けた場合、メトロノーム使用中は持ち手を使用しないため持ち手が邪魔となり、美観を損ねる恐れがあった。
【０００５】
本発明は上記事情に鑑みてなされたもので、メトロノームを安全に保持することが可能であるとともに、美観に優れるメトロノームを提供することを目的とする。
【課題を解決するための手段】
【０００６】
上記課題の解決手段として、請求項１に記載した発明は、テンポを示すテンポ表示部と、前記テンポ表示部が設けられるケースと、前記ケースに設けられる持ち手と、前記ケースに着脱自在に取り付けられる蓋体とを備えるメトロノームにおいて、前記蓋体は、前記ケースに対して、前記蓋体が前記テンポ表示部の少なくとも一部を覆う状態と、前記蓋体が前記持ち手の少なくとも一部を覆う状態と、のいずれの状態にも取り付けられることが可能であることを特徴とする。
【０００７】
請求項２に記載した発明は、前記ケースにおいて、前記持ち手は、前記テンポ表示部が配置される面とは異なる面に設けられていることを特徴とする。
【０００８】
請求項３に記載した発明は、前記ケースにおいて前記テンポ表示部が配置される面を正面とした場合に、前記ケースの背面側の面に前記持ち手が設けられていることを特徴とする。
【０００９】
請求項４に記載した発明は、前記持ち手はベルトとして形成されていることを特徴とする。
【００１０】
請求項５に記載した発明は、前記持ち手は凹部として形成されていることを特徴とする。
【００１１】
請求項６に記載した発明は、前記持ち手は、凸部として形成されていることを特徴とする。
【００１２】
請求項７に記載の発明は、前記持ち手は、貫通穴として形成されていることを特徴とする。
【００１３】
請求項８に記載の発明は、前記蓋体は、前記テンポ表示部又は前記持ち手のどちらも覆わない状態で前記ケースに取り付けることができることを特徴とする。
【００１４】
請求項９に記載の発明は前記ケースにおける前記テンポ表示部が配置される面を正面とし、前記ケースを側面から見た場合に、前記ケースの側面の縁部が前記ケースの上面から底面を通る線対称となるように構成されていることを特徴とする。
【発明の効果】
【００１５】
請求項１に記載の発明によれば、持ち手がケースに備えられているため、当該持ち手を持って運搬することで、落下を防止することができるため、安全な運搬が可能となり、またメトロノーム保管中および運搬時にはテンポ表示部を保護する蓋体を、メトロノーム使用中には持ち手を覆い隠すように取り付けることで、持ち手が見えなくなるので、メトロノーム全体の美観を保つことができる。
【００１６】
請求項２に記載の発明によれば、持ち手とテンポ表示部を分離できるため、どちらか一方を覆い隠したときに、もう一方の見た目を損なわず、安全な運搬が可能であるとともに使用時には美観を保つことができる。
【００１７】
請求項３に記載の発明によれば、テンポ表示部を正面から見た時に持ち手が見えなくなるため、安全な運搬が可能であるとともに使用時には美観を保つことができる。
【００１８】
請求項４に記載の発明によれば、前記持ち手がベルトとして形成されているため、このベルトに手を掛けることで、メトロノームを確実に保持することができるので安全な運搬が可能となる。      
【００１９】
請求項５に記載の発明によれば、前記持ち手が凹部として形成されているため、この凹部を手がかりとして、メトロノームを確実に保持することができるので、安全な運搬が可能となる。
【００２０】
請求項６に記載の発明によれば、前記持ち手が凸部として形成されているため、
この凸部を把持することで、メトロノームを確実に保持することができるので、安全な運搬が可能となる。
【００２１】
請求項７に記載の発明によれば、前記持ち手が貫通穴として形成されているため、
この貫通穴を手がかりとすることで、メトロノームを確実に保持することができるので、安全な運搬が可能となる。
【００２２】
請求項８に記載の発明によれば、テンポ表示部を確認しながら持ち手を使用するようなとき、例えばメトロノームを手に持ち掲げて示すような場合にも安全にメトロノームを保持することができるとともに、蓋体をケース別の面に一体的に取り付けることで蓋体の紛失を防止することができる。
【００２３】
請求項９に記載の発明によれば、テンポ表示部の配置される面と対称面である背面に持ち手を設けることで、蓋体をテンポ表示部および持ち手部のどちら側の面に取り付けても側面から見たときの形状が同じになるため、安全な運搬が可能であるとともに使用時には美観を保つことができる。
【図面の簡単な説明】
【００２４】
【図１】本発明に係るメトロノームの正面図である。
【図２】本発明に係るメトロノームの正面側斜視図である。
【図３】本発明に係るメトロノームの背面図である。
【図４】本発明に係るメトロノームの背面側斜視図である。
【図５】本発明に係る蓋の正面側斜視図である。
【図６】本発明に係る蓋の背面側斜視図である。
【図７】メトロノーム背面側への蓋の取り付け方を示す右側面図である。
【図８】メトロノーム背面側に蓋を取り付けた状態を示す右側面図である。
【図９】メトロノーム正面側への蓋の取り付け方を示す右側面図である。
【図１０】メトロノーム正面側に蓋を取り付けた状態を示す右側面図である。
【図１１】本発明に係るメトロノームの持ち手の別の実施形態である。
【図１２】本発明に係るメトロノームの持ち手の別の実施形態である。
【図１３】図１２のメトロノームのケースの、正面縦断面図を右方向から見た図である。
【図１４】本発明に係るメトロノームの持ち手の別の実施形態である。
【図１５】本発明に係るメトロノームの右側面図である。
【図１６】メトロノームの背面側および正面側に蓋を取り付けた状態を示す右側面図である。
【図１７】本発明に係るメトロノームの別の実施形態を示す正面図である。
【図１８】本発明に係るメトロノームの持ち手の別の実施形態である。
【発明を実施するための形態】
【００２５】
以下、図面を参照して、本発明の実施の形態について説明する。図１、図２は、それぞれ本発明に係るメトロノームの正面図、正面側斜視図である。なお、ここで図1における手前側（Ｙ＋側）を正面側とし、奥側を背面側とする。また図1の上方向（Ｚ＋側）を上側とし、下方向を下側とする。
図１のメトロノーム１は、ケース２と、ケース２の前面に設けられた目盛盤３と、目盛盤３の正面側に目盛盤３と対向するように配置され、左右に揺動することでテンポを表示する振り子４と、振り子４に設けられ、目盛盤３の所定の目盛り位置に合わせるように振り子４に沿って上下方向に動かすことでテンポを速くしたり遅くしたりするための遊錘５とを備える。また、ケース２の正面上端側には、振り子４の先端を固定するための振り子固定部６を備える。
振り子固定部６の上面には図２で示すように正面上部蓋固定穴７が形成されている。また、ケース２と目盛盤３下部の間には、振り子４が左右に動くための隙間Ｃが設けられている。
【００２６】
図３、図４は本発明に係るメトロノームの背面図、背面側斜視図である。
ケース２の背面には、ベルトをループ状にした持ち手１０が備えられており、更にケース２の背面上端側に持ち手１０の端部を固定するための持ち手固定部１１が備えられている。持ち手固定部１１の上面には図４で示すように背面上部蓋固定穴１２が形成されており、ケース２のやや下方には背面下部蓋固定穴１３が形成されている。
【００２７】
図５、図６は本発明に係る蓋の正面側、背面側斜視図である。なお図５におけるＸ＋方向を右方向とし、Ｙ＋方向を正面側とする。
蓋２０には、指掛り２１が左側面及び右側面に形成されている。これにより、蓋２０の取り付け、取り外し時に左右両端の指掛り２１を押さえて持ちながら取り付け取り外しを行うことで蓋２０に力をかけやすくなり、よりスムーズに蓋２０を扱うことが可能となる。
【００２８】
蓋２０の背面側には上部に蓋上部凸部２２を、下部には蓋下部凸部２３を備える。これらはメトロノーム１に蓋２０を取り付けた際に容易に蓋２０が脱落してしまうことを防ぐためのものである。蓋上部凸部２２には、その背面側端部から下方向（Ｚ−方向）に突出する突出部が設けられている。また、蓋下部凸部２３の背面側端部にも、その背面側端部から下方向に突出する突出部が設けられている。この突出部はいずれもケース２に対して蓋２０を保持するためのものである。詳細は後述する。
【００２９】
図７はメトロノーム背面側への蓋２０の取り付け方を示す側面図である。これはメトロノーム使用時に蓋を収納する作業を示している。
背面側に蓋２０を取り付ける際は、あらかじめ蓋２０の中に納まるように持ち手１０をたたむなどしてできるだけ小さくしておいたうえで、ケース２の背面下部蓋固定穴１３に蓋２０の蓋下部凸部２３をはめ込む。より詳細には蓋下部凸部２３の背面側端部から下方向に突出する突出部を、ケース２の背面下部蓋固定穴１３にはめ込む。
【００３０】
次に、蓋２０の上部を持ち手固定部１１の方に押し込み、蓋２０の上部にある蓋上部凸部２２を、背面上部蓋固定穴１２にかみ合うように入れる。より詳細には、蓋上部凸部２２の背面側端部から下方向に突出する突出部を、背面上部蓋固定穴１２にかみ合うように入れる。これにより蓋２０の底面がケース２に固定される。なおケース２及び蓋２０は共に弾性を有する部材で形成されているため、蓋２０の取り付け取り外しの際に蓋２０及びケース２が破損する恐れは無い。
【００３１】
図８はメトロノーム背面側に蓋２０を取り付けた状態を示す側面図である。なお、図８における蓋２０のみ、正面縦方向の断面図を右側面側から見た状態で示している。蓋２０の下部が蓋下部凸部２３と背面下部固定穴１３で、また上部が蓋上部凸部２２と背面上部蓋固定穴１２とで係合することで、蓋２０がケース２の背面側に保持される。この状態に示すように、メトロノーム使用中は蓋２０をケース２に保持することで、蓋の紛失や蓋単体の落下・破損などを防止することが可能である。また、メトロノーム使用中には不要な持ち手１０が蓋２０により覆い隠されるため、メトロノームとしての美観を保つことが可能である。
【００３２】
なお、本実施形態では背面上部蓋固定穴１２は持ち手固定部１１の上面に設けられているが、背面上部蓋固定穴１２はケース２側に設けられていてもよい。
【００３３】
図９はメトロノーム正面側への蓋２０の取り付け方を示す右側面図である。正面側に蓋２０を取り付ける際は、蓋２０を取り付けた状態で振り子４が動かないように、あらかじめ振り子４を振り子固定部６に振り子４の先端を固定させた状態で蓋２０をケース２に取り付ける。
【００３４】
まず、ケース２と目盛盤３下部の間にある隙間Ｃに蓋２０の蓋下部凸部２３をはめ込む。これにより蓋２０の底面がケース２に保持される。より詳細には、蓋下部凸部２３の背面側端部から下方向に突出する突出部を隙間Ｃにはめ込む。
【００３５】
図１０はメトロノーム正面側に蓋２０を取り付けた状態を示す右側面図である。なお、図１０における蓋２０のみ正面縦方向の断面図を右側面側から見た状態で示している。図１０に示すように、蓋２０の上部をケース２の振り子固定部６の方に押し込み、蓋２０の上部にある蓋上部凸部２２を、正面上部蓋固定穴７にかみ合うように入れる。より詳細には、蓋上部凸部２２の背面側端部から下方向に突出する突出部を、正面上部蓋固定穴７にかみ合うように入れる。これにより蓋２０の底面がケース２に固定される。
【００３６】
このとき、蓋下部凸部２３の背面側端部から下方向に突出する突出部の正面側の端面２３ａとケースの隙間Ｃの背面側の端面Ｃａとが当接するとともに、蓋上部凸部２２の背面側端部から下方向に突出する突出部と、正面上部蓋固定穴７とがかみ合うことで、蓋２０がケース２の正面側に保持される。
【００３７】
この状態では、背面側の持ち手１０は蓋２０で覆われていないため、正面側の振り子４などを蓋２０で保護したまま、持ち手１０を使用することにより安全にメトロノーム１を保持して持ち運ぶことが可能である。
【００３８】
なお、本実施形態では正面上部蓋固定穴７は振り子固定部６の上面に設けられているが、正面上部蓋固定穴７はケース２側に構成されていてもよい。
【００３９】
ところで、持ち手１０は、ベルトで構成されている場合は公知の手段で長さ調整をすることができてもよい。また、持ち手１０及びケース２に、図示しない収納穴を設けて、その中に持ち手１０の一部を収納することができてもよい。これらの場合、持ち手１０を使うときはより持ちやすいように長さを調整することができる。また、蓋２０で持ち手１０を覆い隠す場合は、持ち手１０の長さを短くしたり、できるだけ収納したりすることで蓋２０の中に持ち手１０が確実に収まるように調整をすることができる。
【００４０】
また、ケース２に持ち手１０を容易に収納できるような巻き取り機構を設けるようにしてもよい。この場合は持ち手１０の長さ調整を簡便に行うことができる。
【００４１】
なお、本実施形態においては、持ち手１０はベルトをループ状にし、端部を共に一箇所で固定した構造となっているが、これに限定されず、持ち手１０の端部をケース２の上部と下部に、あるいは左部と右部に固定する構成であってもよい。また、本実施形態においては、持ち手１０はベルトで構成されているが、ベルト以外の素材や形状により構成してもよい。
【００４２】
図１１は本発明に係るメトロノームの持ち手の別の実施形態である。本実施形態ではケース２の一部が凸形に突出する持ち手３０を本体背面に形成する。持ち手３０の前面側端面とケース２の背面側端面との間には隙間が形成されており、運搬時には当該隙間に手を差し入れて持ち手３０を把持することでメトロノーム１を安全に保持することが可能となる。
【００４３】
図１１において、持ち手３０の下側端部はケース２と接続せずに開放された状態に形成されているが、持ち手３０の下側端部をケース２に接続するように形成してもよい。このような形状を図１４に示す。図１４では持ち手３０の下側端部をケース２と接続した環状持ち手３２として形成している。
【００４４】
図１２は本発明に係るメトロノームの持ち手の別の実施形態である。図１３は図１２のメトロノームのケース２の正面縦断面を右方向から見た断面図である。本実施形態ではケース２の背面に、ケース内部にせり出すような凹状の持ち手３１を形成する。運搬時には持ち手３１に指を掛けるようにしてケース２を持つことで安全に保持することが可能となる。
【００４５】
本発明に係るメトロノームの持ち手は上述の実施形態に限らず、例えば図１８に示すようにケース２の背面方向に突出する貫通穴状持ち手３４のようなものであってもよい。貫通穴状持ち手３４には、貫通穴３４ａが形成されており、貫通穴３４ａに指を掛けるなどしてもメトロノーム１を安全に保持することが可能である。また、この貫通穴３４ａに紐などを通して長い持ち手としてもよい。
【００４６】
図１５は本発明に係るメトロノームの右側面図、図１６はメトロノームの背面側および正面側に蓋を取り付けた状態を示す右側面図である。ケース２は、蓋２０を取り付けていない状態で、図１５において上面から底面を通るＡ−Ａ’の線に対して正面および背面が線対称となるように構成されている。このようなケースの形状により、蓋２０を正面側に取り付けた状態と背面側に取り付けた状態でメトロノームを側面から見た時のアウトラインが統一され、美観面でより優れた形状となる。
【００４７】
図１７は本発明に係るメトロノームの別の実施形態を示す正面図である。図１７に示すように、右側面部に蓋２０の上部にある蓋上部凸部２２をはめ込むことが可能な側面蓋固定部３３を形成しており、蓋２０をメトロノーム１の側面に掛けて保持するようにしてもよい。また、図１７では蓋上部凸部２２のみを固定する構成となっているが、蓋下部凸部２３を固定することができる固定部を別途設けることにより、よりケース２に強固に固定するような構成にしてもよい。
【００４８】
本実施形態においては、振り子４および遊錘５によってメトロノームのテンポを表示、設定する機械式メトロノームを例に説明を行ってきたが、これに限られず電子式メトロノームであってもよい。電子式メトロノームであっても、本実施形態に記載のように持ち手を備え、これを覆うように蓋を取り付けることができるように構成されれば本実施形態に記載の効果を得ることができる。  
【００４９】
なお、本発明は上記実施形態に限られるものではなく、持ち手はメトロノーム１のケース２のどこに設けられてもよい。例えば上面や底面に設けられるものであってもよく、実施形態のものに限らず様々である。また、ケース２に設けられた貫通穴であってもよく、この貫通穴にベルト等を通して持ち手とするようにしてもよい。そして、上記実施形態における構成は本発明の一例であり、実施形態の構成要素を周知の構成要素に置き換える等、本発明の要旨を逸脱しない範囲で種々の変更が可能である。
【符号の説明】
【００５０】
１    メトロノーム
２    ケース
３    目盛盤
４    振り子
５    遊錘
６    振り子固定部
７    正面上部蓋固定穴
１０  持ち手
１１  持ち手固定部
１２  背面上部蓋固定穴
１３  背面下部蓋固定穴
２０  蓋
２１  指掛り
２２  蓋上部凸部
２３  蓋下部凸部
３０  凸状持ち手
３１  凹状持ち手
３２  環状持ち手
３３  側面蓋固定部
３４  貫通穴状持ち手
【図１】
2018066575.tif 000003
【図２】
2018066575.tif 000004
【図３】
2018066575.tif 000005
【図４】
2018066575.tif 000006
【図５】
2018066575.tif 000007
【図６】
2018066575.tif 000008
【図７】
2018066575.tif 000009
【図８】
2018066575.tif 000010
【図９】
2018066575.tif 000011
【図１０】
2018066575.tif 000012
【図１１】
2018066575.tif 000013
【図１２】
2018066575.tif 000014
【図１３】
2018066575.tif 000015
【図１４】
2018066575.tif 000016
【図１５】
2018066575.tif 000017
【図１６】
2018066575.tif 000018
【図１７】
2018066575.tif 000019
【図１８】
2018066575.tif 000020